【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
質量分析および／またはイオン移動度分析の方法であって、
分析される標的からエアロゾル、煙又は蒸気を生成するように第１のデバイスを使用することによって、検体を提供することと、
前記検体がマトリクスによって希釈される、前記マトリクス内で溶解される、または前記マトリクスで第１のクラスタを形成するように、マトリクス化合物を前記エアロゾル、煙又は蒸気に供給することと、
複数の検体イオンを発生させるように、質量分析計の真空チャンバ内に配置された衝突面に、前記希釈されたまたは溶解された検体の前記第１のクラスタまたは第１の液滴を衝突させることと、
前記衝突面を加熱することとを含む、質量分析および／またはイオン移動度分析の方法。
【請求項２】
前記マトリクスは、（ｉ）５０〜１００μｌ／ｍｉｎ、（ｉｉ）１００〜１５０μｌ／ｍｉｎ、（ｉｉｉ）１５０〜２００μｌ／ｍｉｎ、（ｉｖ）２００〜２５０μｌ／ｍｉｎ、（ｖ）２５０〜３００μｌ／ｍｉｎ、（ｖｉ）３００〜３５０μｌ／ｍｉｎ、（ｖｉｉ）３５０〜４００μｌ／ｍｉｎ、（ｖｉｉｉ）４００〜４５０μｌ／ｍｉｎ、（ｉｘ）４５０〜５００μｌ／ｍｉｎ、（ｘ）５００〜５５０μｌ／ｍｉｎ、（ｘｉ）５５０〜６００μｌ／ｍｉｎ、（ｘｉｉ）６００〜６５０μｌ／ｍｉｎ、（ｘｉｉｉ）６５０〜７００μｌ／ｍｉｎ、（ｘｉｖ）７００〜７５０μｌ／ｍｉｎ、（ｘｖ）７５０〜８００μｌ／ｍｉｎ、（ｘｖｉ）８００〜８５０μｌ／ｍｉｎ、（ｘｖｉｉ）８５０〜９００μｌ／ｍｉｎ、（ｘｖｉｉｉ）９００〜９５０μｌ／ｍｉｎ、（ｘｉｘ）９５０〜１０００μｌ／ｍｉｎ、（ｘｘ）５０μｌ／ｍｉｎ〜１ｍｌ／ｍｉｎ、（ｘｘｉ）１００〜８００μｌ／ｍｉｎ、（ｘｘｉｉ）１５０〜６００μｌ／ｍｉｎ、および（ｘｘｉｉｉ）２００〜４００μｌ／ｍｉｎからなる群から選択された流量で、前記エアロゾル、煙又は蒸気に供給される、請求項１に記載の質量分析および／またはイオン移動度分析の方法。
【請求項３】
前記マトリクス化合物を前記エアロゾル、煙又は蒸気に供給することは、
マトリクス分子が気相にある状態で、前記マトリクス分子を前記検体に供給して、前記マトリクス分子を前記検体と混合することと、
マトリクス分子がエアロゾル、蒸気、又は固体の形態にある状態で、前記マトリクス分子を前記検体に供給して、前記マトリクス分子を前記検体と混合することと
のうちの少なくとも一方を含む、請求項１又は２に記載の質量分析および／またはイオン移動度分析の方法。
【請求項４】
前記標的からエアロゾル、煙又は蒸気を生成するように第１のデバイスを使用するステップは、前記標的をレーザーで照射することをさらに含む、請求項１〜３のいずれか１項に記載の質量分析および／またはイオン移動度分析の方法。
【請求項５】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、請求項１〜３のいずれか１項に記載の質量分析および／またはイオン移動度分析の方法。
【請求項６】
前記マトリクス化合物は、プロトンマトリクス溶媒を含む、請求項１〜５のいずれか１項に記載の質量分析および／またはイオン移動度分析の方法。
【請求項７】
前記マトリクスは、（ｉ）検体のための溶媒、（ｉｉ）有機溶媒、（ｉｉｉ）揮発性化合物、（ｉｖ）極性分子、（ｖ）水、（ｖｉ）１つまたは複数のアルコール、（ｖｉｉ）メタノール、（ｖｉｉｉ）エタノール、（ｉｘ）イソプラパノール、（ｘ）アセトン、（ｘｉ）アセトニトリル、（ｘｉｉ）１−ブタノール、（ｘｉｉｉ）テトラヒドロフラン、（ｘｉｖ）酢酸エチル、（ｘｖ）エチレン・グリコール、（ｘｖｉ）ジメチル・スルホキシド、（ｘｖｉｉ）アルデヒド、（ｘｖｉｉｉ）ケトン、（ｘｉｖ）無極性分子、（ｘｘ）ヘキサン、（ｘｘｉ）クロロホルム、（ｘｘｉｉ）ブタノール、および（ｘｘｉｉｉ）プロパノールからなる群から選択される、請求項１〜６のいずれか１項に記載の質量分析および／またはイオン移動度分析の方法。
【請求項８】
前記第１のクラスタまたは第１の液滴を前記衝突面に加速させるために圧力差を使用することをさらに含む、請求項１〜７のいずれか１項に記載の質量分析および／またはイオン移動度分析の方法。
【請求項９】
質量および／またはイオン移動度分析計であって、
分析される標的からエアロゾル、煙又は蒸気を生成して、検体を提供する第１のデバイスと、
前記検体がマトリクスによって希釈される、前記マトリクス内で溶解される、または前記マトリクスで第１のクラスタを形成するように、マトリクス化合物を前記エアロゾル、煙又は蒸気に供給するデバイスと、
質量分析計の真空チャンバ内に配置された衝突面であって、使用時に、複数の検体イオンを発生させるように、前記希釈されたまたは溶解された検体の前記第１のクラスタまたは第１の液滴を衝突させる衝突面と、
前記衝突面を加熱する加熱器とを備える、質量および／またはイオン移動度分析計。
【請求項１０】
前記マトリクスは、（ｉ）５０〜１００μｌ／ｍｉｎ、（ｉｉ）１００〜１５０μｌ／ｍｉｎ、（ｉｉｉ）１５０〜２００μｌ／ｍｉｎ、（ｉｖ）２００〜２５０μｌ／ｍｉｎ、（ｖ）２５０〜３００μｌ／ｍｉｎ、（ｖｉ）３００〜３５０μｌ／ｍｉｎ、（ｖｉｉ）３５０〜４００μｌ／ｍｉｎ、（ｖｉｉｉ）４００〜４５０μｌ／ｍｉｎ、（ｉｘ）４５０〜５００μｌ／ｍｉｎ、（ｘ）５００〜５５０μｌ／ｍｉｎ、（ｘｉ）５５０〜６００μｌ／ｍｉｎ、（ｘｉｉ）６００〜６５０μｌ／ｍｉｎ、（ｘｉｉｉ）６５０〜７００μｌ／ｍｉｎ、（ｘｉｖ）７００〜７５０μｌ／ｍｉｎ、（ｘｖ）７５０〜８００μｌ／ｍｉｎ、（ｘｖｉ）８００〜８５０μｌ／ｍｉｎ、（ｘｖｉｉ）８５０〜９００μｌ／ｍｉｎ、（ｘｖｉｉｉ）９００〜９５０μｌ／ｍｉｎ、（ｘｉｘ）９５０〜１０００μｌ／ｍｉｎ、（ｘｘ）５０μｌ／ｍｉｎ〜１ｍｌ／ｍｉｎ、（ｘｘｉ）１００〜８００μｌ／ｍｉｎ、（ｘｘｉｉ）１５０〜６００μｌ／ｍｉｎ、および（ｘｘｉｉｉ）２００〜４００μｌ／ｍｉｎからなる群から選択された流量で、前記エアロゾル、煙又は蒸気に供給される、請求項９に記載の質量および／またはイオン移動度分析計。
【請求項１１】
前記マトリクス化合物を前記エアロゾル、煙又は蒸気に供給するデバイスは、
マトリクス分子が気相にある状態で、前記マトリクス分子を前記検体に供給して、前記マトリクス分子を前記検体と混合することと、
マトリクス分子がエアロゾル、蒸気、又は固体の形態にある状態で、前記マトリクス分子を前記検体に供給して、前記マトリクス分子を前記検体と混合することと
のうちの少なくとも一方を行うように構成された、請求項９又は１０に記載の質量および／またはイオン移動度分析計。
【請求項１２】
前記第１のデバイスは、レーザーを備える、請求項９〜１１のいずれか１項に記載の質量および／またはイオン移動度分析計。
【請求項１３】
前記第１のデバイスは、（ｉ）急速蒸発イオン化質量分析（「ＲＥＩＭＳ」）イオン源、（ｉｉ）脱離エレクトロスプレーイオン化（「ＤＥＳＩ」）イオン化源、（ｉｉｉ）レーザー脱離イオン化（「ＬＤＩ」）イオン源、（ｉｖ）熱脱離イオン源、（ｖ）レーザーダイオード熱脱離（「ＬＤＴＤ」）イオン源、（ｖｉ）脱離電気流集束（「ＤＥＦＦＩ」）イオン源、（ｖｉｉ）誘電体バリア放電（「ＤＢＤ」）プラズマイオン源、（ｖｉｉｉ）大気固体分析プローブ（「ＡＳＡＰ」）イオン源、（ｉｘ）超音波支援スプレーイオン化イオン源、（ｘ）簡単な大気ソニックスプレーイオン化（「ＥＡＳＩ」）イオン源、（ｘｉ）脱離大気圧光イオン化（「ＤＡＰＰＩ」）イオン源、（ｘｉｉ）ペーパースプレー（「ＰＳ」）イオン源、（ｘｉｉｉ）ジェット脱離イオン化（「ＪｅＤＩ」）イオン源、（ｘｉｖ）タッチスプレー（「ＴＳ」）イオン源、（ｘｖ）ナノＤＩＳＩイオン源、（ｘｖｉ）レーザー切除エレクトロスプレー（「ＬＡＥＳＩ」）イオン源、（ｘｖｉｉ）リアルタイム直接分析（「ＤＡＲＴ」）イオン化源、（ｘｖｉｉｉ）プローブエレクトロスプレーイオン化（「ＰＥＳＩ」）イオン源、（ｘｉｘ）固体プローブ支援エレクトロスプレーイオン化（「ＳＰＡ−ＥＳＩ」）イオン源、（ｘｘ）カビトロン超音波外科用吸引（「ＣＵＳＡ」）装置、（ｘｘｉ）ハイブリッドＣＵＳＡジアテルミー装置、（ｘｘｉｉ）集束または非集束超音波切除装置、（ｘｘｉｉｉ）ハイブリッド集束または非集束超音波切除およびジアテルミー装置、（ｘｘｉｖ）マイクロ波共振装置、（ｘｘｖ）パルスプラズマＲＦ解離装置、（ｘｘｖｉ）アルゴンプラズマ凝固装置、（ｘｘｖｉ）ハイブリッドパルスプラズマＲＦ解離およびアルゴンプラズマ凝固装置、（ｘｘｖｉｉ）ハイブリッドパルスプラズマＲＦ解離およびＪｅＤＩ装置、（ｘｘｖｉｉｉ）外科用水／生理食塩水ジェット装置、（ｘｘｉｘ）ハイブリッド・エレクトロスプレーおよびアルゴンプラズマ凝固装置、ならびに（ｘｘｘ）ハイブリッドアルゴンプラズマ凝固および水／生理食塩水ジェット装置からなる群から選択されたデバイスの一部、もしくはイオン源を備えるか、または形成する、請求項９〜１１のいずれか１項に記載の質量および／またはイオン移動度分析計。
【請求項１４】
前記マトリクス化合物は、プロトンマトリクス溶媒を含む、請求項９〜１３のいずれか１項に記載の質量および／またはイオン移動度分析計。
【請求項１５】
前記マトリクスは、（ｉ）検体のための溶媒、（ｉｉ）有機溶媒、（ｉｉｉ）揮発性化合物、（ｉｖ）極性分子、（ｖ）水、（ｖｉ）１つまたは複数のアルコール、（ｖｉｉ）メタノール、（ｖｉｉｉ）エタノール、（ｉｘ）イソプラパノール、（ｘ）アセトン、（ｘｉ）アセトニトリル、（ｘｉｉ）１−ブタノール、（ｘｉｉｉ）テトラヒドロフラン、（ｘｉｖ）酢酸エチル、（ｘｖ）エチレン・グリコール、（ｘｖｉ）ジメチル・スルホキシド、（ｘｖｉｉ）アルデヒド、（ｘｖｉｉｉ）ケトン、（ｘｉｖ）無極性分子、（ｘｘ）ヘキサン、（ｘｘｉ）クロロホルム、（ｘｘｉｉ）ブタノール、および（ｘｘｉｉｉ）プロパノールからなる群から選択される、請求項９〜１３のいずれか１項に記載の質量および／またはイオン移動度分析計。
【請求項１６】
第１の領域と第２の領域との間の前記第１のクラスタまたは第１の液滴を前記衝突面に加速させるために、前記第１及び第２の領域の間に圧力差を生成するように構成される、請求項９〜１５のいずれか１項に記載の質量および／またはイオン移動度分析計。